【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
電池の作動中にイオンの吸収または放出を行うことが可能であるイオン貯蔵化合物粒子の非水系液体電解質中の懸濁液を含む半固体状電極、を含む電気化学電池であって、
前記イオン貯蔵化合物粒子が多分散粒径分布を有し、前記多分散粒径分布において、総体積の少なくとも５体積％存在する最小粒子の大きさは、総体積の少なくとも５体積％存在する最大粒子の大きさの少なくとも１／５より小さい、電気化学電池。
【請求項２】
半固体状電極中のイオン貯蔵化合物粒子が、少なくとも１０質量％である請求項１記載の電気化学電池。
【請求項３】
半固体状電極中のイオン貯蔵化合物粒子が、少なくとも２５質量％である請求項２記載の電気化学電池。
【請求項４】
前記イオン貯蔵化合物粒子の体積％が、５〜７０％である請求項３記載の電気化学電池。
【請求項５】
総体積の少なくとも５体積％存在する最小粒子の大きさは、総体積の少なくとも５体積％存在する最大粒子の大きさの少なくとも１／７より小さい、請求項１記載の電気化学電池。
【請求項６】
総体積の少なくとも５体積％存在する最小粒子の大きさは、総体積の少なくとも５体積％存在する最大粒子の大きさの少なくとも１／１０より小さい、請求項１記載の電気化学電池。
【請求項７】
前記イオン貯蔵化合物粒子が２つの極大値の粒径の差が、少なくとも５倍である二分散粒径分布を有する、請求項１記載の電気化学電池。
【請求項８】
前記半固体状電極が、電子伝導性物質を含有する請求項１記載の電気化学電池。
【請求項９】
前記電子伝導性物質が、パーコレーション経路を形成する請求項８記載の電気化学電池。
【請求項１０】
前記電子伝導性物質が、電子導電性ポリマーを含有する請求項８記載の電気化学電池。
【請求項１１】
前記電子伝導性物質が、金属と、金属炭化物と、金属窒化物と、金属酸化物と、ならびにカーボンブラック、黒鉛状炭素、炭素繊維、カーボンマイクロファイバ、気相成長炭素繊維（ＶＧＣＦ）、「バッキーボール」を含むフラーレン炭素、カーボンナノチューブ（ＣＮＴ）、マルチウォールカーボンナノチューブ（ＭＷＮＴ）、シングルウォールカーボンナノチューブ（ＳＷＮＴ）、グラフェンシートまたはグラフェンシート集合体、フラーレン断片を含む物質、およびこれらの混合物を含む炭素同素体と、からなる群から選択される伝導性無機化合物を含む、請求項１に記載の電気化学電池。
【請求項１２】
前記イオン貯蔵化合物の体積割合が、５％から７０％の範囲内であり、電子伝導性物質を含む総固体割合が１０％から７５％である、請求項１に記載の電気化学電池。
【請求項１３】
更に、アノードを含む、請求項１記載の電気化学電池。
【請求項１４】
半固体状電極が、半固体状カソードを含む請求項１記載の電気化学電池。
【請求項１５】
イオン貯蔵化合物粒子が、少なくとも等軸形態を有する、請求項１記載の電気化学電池。
【請求項１６】
粒子充填率が、少なくとも５０体積％である、請求項１記載の電気化学電池。
【請求項１７】
アノードと、
カソードと、
前記アノードと前記カソードとの間に配置されたイオン透過膜と、
を含み、
前記アノードおよび前記カソードの少なくとも１つは、電池の作動中に前記イオンの吸収または放出を行うことが可能であるイオン貯蔵化合物粒子の懸濁液を含む半固体状電極を含み、
前記イオン貯蔵化合物粒子が多分散粒径分布を有し、粒子充填率が少なくとも５０体積％である、電気化学電池。
【請求項１８】
半固体状電極中のイオン貯蔵化合物粒子が少なくとも１０質量％である請求項１７記載の電気化学電池。
【請求項１９】
前記イオン貯蔵化合物粒子の体積％が５〜７０％である請求項１７記載の電気化学電池。
【請求項２０】
前記イオン貯蔵化合物粒子が多分散粒径分布を有し、前記多分散粒径分布において、総体積の少なくとも５体積％存在する最小粒子の大きさは、総体積の少なくとも５体積％存在する最大粒子の大きさの少なくとも１／５より小さい、請求項１７記載の電気化学電池。
【請求項２１】
前記半固体状電極組成物が、電子伝導性物質を含有する請求項１７記載の電気化学電池。
【請求項２２】
前記電子伝導性物質が、パーコレーション経路を形成する請求項２１記載の電気化学電池。
【請求項２３】
前記電子伝導性物質が、電子導電性ポリマーを含有する請求項２１記載の電気化学電池。
【請求項２４】
前記電子伝導性物質が、金属と、金属炭化物と、金属窒化物と、金属酸化物と、ならびにカーボンブラック、黒鉛状炭素、炭素繊維、カーボンマイクロファイバ、気相成長炭素繊維（ＶＧＣＦ）、「バッキーボール」を含むフラーレン炭素、カーボンナノチューブ（ＣＮＴ）、マルチウォールカーボンナノチューブ（ＭＷＮＴ）、シングルウォールカーボンナノチューブ（ＳＷＮＴ）、グラフェンシートまたはグラフェンシート集合体、フラーレン断片を含む物質、およびこれらの混合物を含む炭素同素体と、からなる群から選択される伝導性無機化合物を含む、請求項２１に記載の電気化学電池。
【請求項２５】
半固体状電極組成物が、半固体状カソード組成物を含む請求項１７記載の電気化学電池。
【請求項２６】
前記イオン貯蔵化合物粒子が２つの極大値の粒径の差が少なくとも５倍である二分散粒径分布を有する、請求項１７記載の電気化学電池。
【請求項２７】
イオン貯蔵化合物粒子が、少なくとも等軸形態を有する、請求項１７記載の電気化学電池。
【請求項２８】
正極電流コレクタと、負極電流コレクタと、前記正極電流コレクタおよび前記負極電流コレクタを分離するイオン透過膜と、
を含む電池エネルギー貯蔵システムであって、
前記正電気活性ゾーンおよび前記負電気活性ゾーンのうちの少なくとも１つは、前記電池の動作中に前記イオンの吸収または放出を行うことが可能であるイオン貯蔵化合物を含む半固体状性電極組成物を含み、
前記イオン貯蔵化合物粒子は、多分散粒径分布を有し、前記多分散粒径分布において、総体積の少なくとも５体積％存在する最小粒子の大きさは、総体積の少なくとも５体積％存在する最大粒子の大きさの少なくとも１／５より小さい、システム。
【請求項２９】
総体積の少なくとも５体積％存在する最小粒子の大きさは、総体積の少なくとも５体積％存在する最大粒子の大きさの少なくとも１／７より小さい請求項２８記載のエネルギー貯蔵システム。
【請求項３０】
総体積の少なくとも５体積％存在する最小粒子の大きさは、総体積の少なくとも５体積％存在する最大粒子の大きさの少なくとも１／１０より小さい請求項２８記載のエネルギー貯蔵システム。
【請求項３１】
前記イオン貯蔵化合物粒子が２つの極大値の粒径の差が少なくとも５倍である二分散粒径分布を有する、請求項２８記載のエネルギー貯蔵システム。
【請求項３２】
より大きい粒子に対する極大値の粒径は少なくとも１マイクロメートルである、請求項３１記載のエネルギー貯蔵システム。
【請求項３３】
前記イオン貯蔵化合物粒子が、少なくとも等軸形態を有する、請求項２８記載のエネルギー貯蔵システム。
【請求項３４】
粒子充填率が、少なくとも５０体積％である、請求項２８記載のエネルギー貯蔵システム。
【請求項３５】
粒子充填率が、少なくとも５５体積％である、請求項２８記載のエネルギー貯蔵システム。
【請求項３６】
粒子充填率が、少なくとも６０体積％である、請求項２８記載のエネルギー貯蔵システム。
【請求項３７】
粒子充填率が、少なくとも７０体積％である、請求項２８記載のエネルギー貯蔵システム。
【請求項３８】
更に、レドックスメディエータを更に含む、請求項２８記載のエネルギー貯蔵システム。
【請求項３９】
前記レドックスメディエータが、前記半固体状組成物中で可溶性であり、複数の酸化状態を有する、請求項２８記載のエネルギー貯蔵システム。
【請求項４０】
前記レドックスメディエータが、鉄、バナジウム、クロム、亜鉛、およびこれらの混合物から選択されるレドックス金属イオンを含む、請求項３８記載のエネルギー貯蔵システム。
【請求項４１】
前記半固体状電極が、電子伝導性物質を含有する請求項２８記載のエネルギー貯蔵システム。
【請求項４２】
前記電子伝導性物質が、導電性無機化合物を含む、請求項４１記載のエネルギー貯蔵システム。
【請求項４３】
前記電子伝導性物質が、パーコレーション経路を形成する請求項４１記載のエネルギー貯蔵システム。
【請求項４４】
前記電子伝導性物質が、電子導電性ポリマーを含有する、請求項４１記載のエネルギー貯蔵システム。
【請求項４５】
前記電子伝導性物質が、イオン貯蔵化合物粒子を被覆する、請求項４１記載のエネルギー貯蔵システム。
【請求項４６】
前記正極電極コレクタおよび負極電極コレクタの一方または両方が、電子伝導性物質で被覆される、請求項２８記載のエネルギー貯蔵システム。
【請求項４７】
更に、半固体状組成物を電気活性ゾーンに分配するためのエネルギー貯蔵システムの外に少なくとも一つのタンクを有する、請求項２８記載のエネルギー貯蔵システム。
【請求項４８】
前記正電気活性ゾーンおよび前記負電気活性ゾーンのうちの少なくとも１つは、前記電池の動作中に前記イオンの吸収または放出を行うことが可能であるイオン貯蔵化合物粒子を含む半固体状の組成物を含み、
前記正電気活性ゾーンおよび上記負電気活性ゾーンのうちの少なくとも１つは、電池の動作中に上記イオンの吸収または放出を行うことが可能である水性レドックス溶液と、電子伝導性添加物と、を含む、請求項２８記載のエネルギー貯蔵システム。
【請求項４９】
前記電子伝導性物質が、パーコレーション経路を形成する請求項４１記載のエネルギー貯蔵システム。